【手続補正書】
【提出日】平成20年2月29日(2008.2.29)
【手続補正１】
【補正対象書類名】特許請求の範囲
【補正対象項目名】全文
【補正方法】変更
【補正の内容】
【特許請求の範囲】
【請求項１】
第１の筐体と第２の筐体とが開閉可能な状態で連結された端末装置であって、
機能を実行させる複数のプログラムを記憶するプログラム記憶手段と、
前記第２の筐体の、前記第１の筐体及び前記第２の筐体が閉状態において操作可能な位置に設けられた操作手段と、
前記操作手段の操作を検出する操作検出手段と、
前記第１の筐体及び前記第２の筐体の開閉状態を検出する開閉状態検出手段と、
前記操作検出手段により操作が検出されたときに、動作状態を特定する動作状態特定手段と、
前記操作検出手段によって前記操作手段の操作が検出され、且つ、前記開閉状態検出手段により前記第１の筐体及び前記第２の筐体が開状態であることが検出された場合、前記動作状態特定手段により特定された動作状態に応じて、前記複数のプログラムから少なくとも１つのプログラムを選択する第１の選択手段と、
前記第１の選択手段によって選択されたプログラムを起動する起動手段と、
を備えることを特徴とする端末装置。
【請求項２】
前記操作検出手段によって前記操作手段の操作が検出されていない状態で、前記開閉状態検出手段によって前記第１の筐体及び前記第２の筐体の閉状態から開状態への変化が検出された場合、前記複数のプログラムのうちの特定のプログラムを選択する第２の選択手段を備え、
前記起動手段は、前記第２の選択手段によって選択されたプログラムを起動する、
ことを特徴とする請求項１に記載の端末装置。
【請求項３】
所定の画面表示を行う画面表示手段を備え、
前記特定のプログラムは、前記画面表示手段に着信を待ち受けるための待ち受け画面を表示するプログラムから構成される、
ことを特徴とする請求項２に記載の端末装置。
【請求項４】
前記第１の筐体及び前記第２の筐体の開閉状態と、前記動作状態特定手段により特定される動作状態と、前記操作手段の操作の有無と、に対応付けて、起動すべきプログラムを特定可能な識別情報を記憶する起動プログラム識別情報記憶手段と、
前記開閉状態検出手段により検出された開閉状態と、前記動作状態検出手段により検出される動作状態と、前記操作検出手段により検出された操作の有無と、に基づき、前記起動プログラム識別情報記憶手段を参照することにより、前記起動すべきプログラムを特定する起動プログラム特定手段と、
を備え、
前記第１の選択手段は、前記起動プログラム特定手段によって特定されたプログラムを選択する、
ことを特徴とする請求項１に記載の端末装置。
【請求項５】
前記第１の選択手段は、前記操作検出手段により操作が検出されている状態で、前記開閉状態検出手段によって前記第１の筐体及び前記第２の筐体の閉状態から開状態への変化が検出された場合、前記動作状態特定手段により特定された動作状態に応じて、前記複数のプログラムから少なくとも１つのプログラムを選択する、
ことを特徴とする請求項１に記載の端末装置。
【請求項６】
前記操作手段の操作に応じて前記第１の筐体及び前記第２の筐体を閉状態から開状態へと変化させる連動手段、をさらに備え、
前記開閉状態検出手段は、前記連動手段が前記操作手段の操作に応じて前記第１の筐体及び前記第２の筐体を閉状態から開状態へと変化させることを検出し、
前記第１の選択手段は、前記連動手段が前記操作手段の操作に応じて前記第１の筐体及び前記第２の筐体を閉状態から開状態へと変化させたことを前記開閉状態検出手段が検出した場合、前記動作状態特定手段により特定された動作状態に応じて、前記複数のプログラムから少なくとも１つのプログラムを選択する、
ことを特徴とする請求項１に記載の端末装置。
【請求項７】
コンピュータに、
開閉可能な状態で連結された第１の筐体及び第２の筐体の開閉状態を検出する機能、
前記第２の筐体の、前記第１の筐体及び前記第２の筐体が閉状態において操作可能な位置に設けられた操作手段の操作が検出されたときに、動作状態を特定する機能、
前記操作手段の操作が検出され、且つ、前記開閉状態が開状態であることが検出された場合、前記特定された動作状態に応じて、記憶手段に記憶されている複数のプログラムから少なくとも１つのプログラムを選択する機能、
前記選択されたプログラムを起動する機能、
を実現させるためのプログラム。
【手続補正２】
【補正対象書類名】明細書
【補正対象項目名】発明の名称
【補正方法】変更
【補正の内容】
【発明の名称】端末装置及びプログラム
【手続補正３】
【補正対象書類名】明細書
【補正対象項目名】０００１
【補正方法】変更
【補正の内容】
【０００１】
本発明は、端末装置及びプログラムに関し、特に、現在の動作状態に応じて適切なプログラムを選択して起動するプログラム起動機能を備える端末装置及びプログラムに関する。
【手続補正４】
【補正対象書類名】明細書
【補正対象項目名】０００４
【補正方法】変更
【補正の内容】
【０００４】
本発明は、上記実状に鑑みてなされたものであり、より簡便に適切なプログラムを起動できる端末装置及びプログラムを提供することを目的とする。
また、本発明は、ユーザによる機能毎の操作を必要とせずに、端末の現在の状態を検出し、その状態に応じて複数のプログラムの中から適切なプログラムを起動できる端末装置及びプログラムを提供することを目的とする。
さらに、本発明は、使い易い端末装置を提供することを目的とする。
【手続補正５】
【補正対象書類名】明細書
【補正対象項目名】０００５
【補正方法】変更
【補正の内容】
【０００５】
上記目的を達成するため、本発明の第１の観点に係る端末装置は、第１の筐体と第２の筐体とが開閉可能な状態で連結された端末装置であって、機能を実行させる複数のプログラムを記憶するプログラム記憶手段と、前記第２の筐体の、前記第１の筐体及び前記第２の筐体が閉状態において操作可能な位置に設けられた操作手段と、前記操作手段の操作を検出する操作検出手段と、前記第１の筐体及び前記第２の筐体の開閉状態を検出する開閉状態検出手段と、前記操作検出手段により操作が検出されたときに、動作状態を特定する動作状態特定手段と、前記操作検出手段によって前記操作手段の操作が検出され、且つ、前記開閉状態検出手段により前記第１の筐体及び前記第２の筐体が開状態であることが検出された場合、前記動作状態特定手段により特定された動作状態に応じて、前記複数のプログラムから少なくとも１つのプログラムを選択する第１の選択手段と、前記第１の選択手段によって選択されたプログラムを起動する起動手段と、を備えることを特徴とする。
【手続補正６】
【補正対象書類名】明細書
【補正対象項目名】０００６
【補正方法】変更
【補正の内容】
【０００６】
また、上記端末装置において、前記操作検出手段によって前記操作手段の操作が検出されていない状態で、前記開閉状態検出手段によって前記第１の筐体及び前記第２の筐体の閉状態から開状態への変化が検出された場合、前記複数のプログラムのうちの特定のプログラムを選択する第２の選択手段を備え、前記起動手段は、前記第２の選択手段によって選択されたプログラムを起動する、ようにしてもよい。
【手続補正７】
【補正対象書類名】明細書
【補正対象項目名】０００７
【補正方法】変更
【補正の内容】
【０００７】
さらに、上記端末装置において、所定の画面表示を行う画面表示手段を備え、前記特定のプログラムは、前記画面表示手段に着信を待ち受けるための待ち受け画面を表示するプログラムから構成される、ようにしてもよい。
【手続補正８】
【補正対象書類名】明細書
【補正対象項目名】０００８
【補正方法】変更
【補正の内容】
【０００８】
また、上記端末装置において、前記第１の筐体及び前記第２の筐体の開閉状態と、前記動作状態特定手段により特定される動作状態と、前記操作手段の操作の有無と、に対応付けて、起動すべきプログラムを特定可能な識別情報を記憶する起動プログラム識別情報記憶手段と、前記開閉状態検出手段により検出された開閉状態と、前記動作状態検出手段により検出される動作状態と、前記操作検出手段により検出された操作の有無と、に基づき、前記起動プログラム識別情報記憶手段を参照することにより、前記起動すべきプログラムを特定する起動プログラム特定手段と、を備え、前記第１の選択手段は、前記起動プログラム特定手段によって特定されたプログラムを選択する、ようにしてもよい。
また、前記第１の選択手段は、前記操作検出手段により操作が検出されている状態で、前記開閉状態検出手段によって前記第１の筐体及び前記第２の筐体の閉状態から開状態への変化が検出された場合、前記動作状態特定手段により特定された動作状態に応じて、前記複数のプログラムから少なくとも１つのプログラムを選択する、ようにしてもよい。
また、前記操作手段の操作に応じて前記第１の筐体及び前記第２の筐体を閉状態から開状態へと変化させる連動手段、をさらに備え、前記開閉状態検出手段は、前記連動手段が前記操作手段の操作に応じて前記第１の筐体及び前記第２の筐体を閉状態から開状態へと変化させることを検出し、前記第１の選択手段は、前記連動手段が前記操作手段の操作に応じて前記第１の筐体及び前記第２の筐体を閉状態から開状態へと変化させたことを前記開閉状態検出手段が検出した場合、前記動作状態特定手段により特定された動作状態に応じて、前記複数のプログラムから少なくとも１つのプログラムを選択する、ようにしてもよい。
また、上記目的を達成するため、本発明の第２の観点に係るプログラムは、コンピュータに、開閉可能な状態で連結された第１の筐体及び第２の筐体の開閉状態を検出する機能、前記第２の筐体の、前記第１の筐体及び前記第２の筐体が閉状態において操作可能な位置に設けられた操作手段の操作が検出されたときに、動作状態を特定する機能、前記操作手段の操作が検出され、且つ、前記開閉状態が開状態であることが検出された場合、前記特定された動作状態に応じて、記憶手段に記憶されている複数のプログラムから少なくとも１つのプログラムを選択する機能、前記選択されたプログラムを起動する機能、を実現させることを特徴とする。
【手続補正９】
【補正対象書類名】明細書
【補正対象項目名】０００９
【補正方法】変更
【補正の内容】
【０００９】
本発明によれば、より簡便に適切なプログラムを起動できる端末装置及びプログラムを提供することができる。
また、ユーザによる機能毎の操作を必要とせずに、端末の現在の状態を検出し、その状態に応じて複数のプログラムの中から適切なプログラムを起動できる端末装置及びプログラムを提供することができる。
さらに、使い易い端末装置を提供することができる。